(57)【要約】【課題】断面略Ｌ字状の建築用板材において、製造コストの上昇を抑制しつつ角部の強度を確保する。【解決手段】建築用板材１は、第一方向Ｄ１に延び、横板部２及び前板部３の一部をなして第一壁面１０１ａに取り付けられる第一板部１１と、第一板部１１と連結されて第二方向Ｄ２に延び、横板部２及び前板部３の一部をなして第二壁面１０１ｂに取り付けられる第二板部１２と、第一方向Ｄ１に延び、前板部３の一部をなす第三板部１３と、を備える。第一板部１１は、芯材４１が一対の面材５１，６１及び第一前板部３１から突出してなる凸部２１Ｂを有する。第二板部１２は、一対の面材５２，６２の間に凸部２１Ｂが挿入される凹部２２Ｂを有する。第三板部１３は、第一板部１１の第一前板部３１の端面３１Ａと、第二板部１２の第二前板部３２の端面３２Ａとに当接される。【選択図】図５
2019151971.tif 000002
【特許請求の範囲】
【請求項１】
芯材の表裏面に一対の面材を貼り付けた構造をなして第一壁面と第二壁面とにより形成される出隅壁に取り付けられる横板部と、前記横板部の前記出隅壁とは反対側の端部に設けられる前板部と、を備える建築用板材であって、
第一方向に延び、前記横板部及び前記前板部の一部をなして前記第一壁面に取り付けられる第一板部と、
前記第一板部に連結されて前記第一方向と交差する第二方向に延び、前記横板部及び前記前板部の一部をなして前記第二壁面に取り付けられる第二板部と、
前記第一方向に延び、前記前板部の一部をなす第三板部と、を備え、
前記第一板部は、前記芯材が前記一対の面材及び前記前板部から突出してなる凸部を有し、
前記第二板部は、前記一対の面材の間に前記凸部が挿入される凹部を有し、
前記第三板部は、前記第一板部の前記前板部の端面と、前記第二板部の前記前板部の端面とに当接される、
建築用板材。
【請求項２】
前記出隅壁には、前記建築用板材を取り付けるための受桟が設けられており、
前記第一板部の前記横板部は、前記第一壁面側の端部において、前記一対の面材の間に前記受桟が挿入される第一受桟用凹部を有し、
前記第二板部の前記横板部は、前記第二壁面側の端部において、前記一対の面材の間に前記受桟が挿入される第二受桟用凹部を有する、
請求項１に記載の建築用板材。
【請求項３】
前記第一板部の前記芯材は、前記第一板部の前記第二板部と連結される側の第一端部まで延びており、
前記第二板部の前記芯材は、前記第二板部の前記第一板部と連結される側の第二端部まで延びている、
請求項１又は２に記載の建築用板材。
【請求項４】
前記第一板部の前記芯材と前記第二板部の前記芯材とが当接されている、
請求項１〜３の何れか一項に記載の建築用板材。
【請求項５】
前記前板部は、前記一対の面材のうち何れか一方により形成されている、
請求項１〜４の何れか一項に記載の建築用板材。
【請求項６】
前記第一板部の前記一対の面材と前記第二板部の前記一対の面材とが当接されている、
請求項１〜５の何れか一項に記載の建築用板材。
【請求項７】
前記第一板部の前記凸部の表裏面に取り付けられる一対の第四板部を更に備え、
前記一対の第四板部は、前記第一板部の前記一対の面材の端面と前記第二板部の前記一対の面材の端面とに当接される、
請求項１〜５の何れか一項に記載の建築用板材。
【発明の詳細な説明】
【技術分野】
【０００１】
本発明は、出隅壁に取り付けられる建築用板材に関する。
【背景技術】
【０００２】
特許文献１には、出隅部に取り付けられて互いの端部同士が連結された複数の建築用板材が記載されている。この複数の建築用板材は、芯材が上下の面材で挟み込まれたフラッシュ構造となっている。そして、この複数の建築用板材は、連結し合う端部同士が、それぞれの建築用板材の奥行方向に対して斜めに形成されており、一方の端部に形成された凸部が他方の端部に形成された凹部に嵌め込まれることで、連結されている。
【先行技術文献】
【特許文献】
【０００３】
【特許文献１】特開２０１７−０４３９１６号公報
【発明の概要】
【発明が解決しようとする課題】
【０００４】
ところで、コーブ照明やカーテンボックス等に用いられる建築用板材は、断面略Ｌ字状に形成されている。断面略Ｌ字状の建築用板材は、壁面から張り出す横板部と、横板部の壁面とは反対側の端部に接続される前板部と、により構成されている。コーブ照明に用いられる建築用板材では、前板部が横板部から上方に延びるように当該横板部に接続されており、カーテンボックスに用いられる建築用板材では、前板部が横板部から下方に延びるように当該横板部に接続されている。
【０００５】
このような断面略Ｌ字状の建築用板材では、斜めにカットするのに高度な技術が必要になる。このため、特許文献１に記載された複数の建築用板材のように端部同士が斜めに形成されていると、製造コストが高くなるという問題がある。
【０００６】
また、フラッシュ構造の板材は、棒状の芯材が矩形枠状に配置されている。このため、特許文献１に記載された複数の建築用板材のように端部同士が斜めに形成されていると、当該端部に芯材を配置することができず、複数の建築用板材の連結部である角部において、強度が低下するという問題がある。
【０００７】
また、フラッシュ構造の板材では、一方の面材を幅広にするとともにＶカットして折り曲げることで、容易に断面略Ｌ字状に形成することができる。しかしながら、特許文献１に記載された複数の建築用板材のように端部同士が斜めに形成されていると、Ｖカットして折り曲げる面材を複雑な形状にする必要があるため、製造コストが高くなるという問題がある。
【０００８】
そこで、本発明は、断面略Ｌ字状の建築用板材において、製造コストの上昇を抑制しつつ角部の強度を確保できる建築用板材及び建築用板材の施工方法を提供することを課題とする。
【課題を解決するための手段】
【０００９】
本発明に係る建築用板材は、芯材の表裏面に一対の面材を貼り付けた構造をなして第一壁面と第二壁面とにより形成される出隅壁に取り付けられる横板部と、横板部の出隅壁とは反対側の端部に設けられる前板部と、を備える建築用板材であって、第一方向に延び、横板部及び前板部の一部をなして第一壁面に取り付けられる第一板部と、第一板部に連結されて第一方向と交差する第二方向に延び、横板部及び前板部の一部をなして第二壁面に取り付けられる第二板部と、第一方向に延び、前板部の一部をなす第三板部と、を備え、第一板部は、芯材が一対の面材及び前板部から突出してなる凸部を有し、第二板部は、一対の面材の間に凸部が挿入される凹部を有し、第三板部は、第一板部の前板部の端面と、第二板部の前板部の端面とに当接される。
【００１０】
この建築用板材では、第一板部の凸部を第二板部の凹部に挿入して、第一板部と第二板部とを連結することで、第一方向及び第二方向に延びる略Ｌ字状の横板部を形成することができる。また、凸部が凹部に挿入された状態で、第三板部を第一板部の前板部の端面と第二板部の前板部の端面とに当接することで、第一方向及び第二方向に延びる略Ｌ字状の前板部を形成することができる。これにより、断面略Ｌ字状に形成される横板部及び前板部を斜めにカットしなくても、略Ｌ字状の建築用板材を組み立てることができるため、製造コストの上昇を抑制することができる。しかも、第一板部と第二板部との連結は、第一板部の凸部を第二板部の凹部に挿入することにより行うことができるため、略Ｌ字状の建築用板材の角部に、第一板部の芯材又は第二板部の芯材を配置することができる。これにより、建築用板材の角部の強度を確保することができる。
【００１１】
出隅壁には、建築用板材を取り付けるための受桟が設けられており、第一板部の横板部は、第一壁面側の端部において、一対の面材の間に受桟が挿入される第一受桟用凹部を有し、第二板部の横板部は、第二壁面側の端部において、一対の面材の間に受桟が挿入される第二受桟用凹部を有してもよい。この建築用板材では、第一板部及び第二板部の第一受桟用凹部及び第二受桟用凹部に受桟を挿入することで、容易に第一板部及び第二板部を第一壁面及び第二壁面に取り付けることができる。
【００１２】
第一板部の芯材は、第一板部の第二板部と連結される側の第一端部まで延びており、第二板部の芯材は、第二板部の第一板部と連結される側の第二端部まで延びていてもよい。この建築用板材では、第一板部及び第二板部の芯材が第一端部及び第二端部まで延びているため、建築用板材の角部に芯材が配置される。これにより、建築用板材の角部の強度を確保することができる。
【００１３】
第一板部の芯材と第二板部の芯材とが当接されていてもよい。この建築用板材では、第一板部の芯材と第二板部の芯材とが当接されているため、建築用板材の角部の強度を確保することができる。
【００１４】
前板部は、一対の面材のうち何れか一方により形成されていてもよい。この建築用板材では、前板部が一対の面材のうち何れか一方により形成されているため、部品点数を削減して製造コストを低減することができる。
【００１５】
第一板部の一対の面材と第二板部の一対の面材とが当接されていてもよい。この建築用板材では、第一板部の一対の面材と第二板部の一対の面材とが当接されているため、建築用板材の角部の強度を確保することができる。
【００１６】
第一板部の凸部の表裏面に取り付けられる一対の第四板部を更に備え、一対の第四板部は、第一板部の一対の面材の端面と第二板部の一対の面材の端面とに当接されてもよい。この建築用板材では、第一板部の凸部の表裏面に取り付けられる一対の第四板部が、第一板部の一対の面材の端面と第二板部の一対の面材の側面とに当接される。このため、一対の第四板部を切断して、一対の第四板部における第一板部の一対の面材側の端面と、一対の第四板部における第二板部の一対の面材側の端面と、のなす角度を調整することで、第一板部の延在方向である第一方向と第二板部の延在方向である第二方向とのなす角度を変えることができる。これにより、第一壁面と第二壁面とのなす角度が９０°でない場合であっても、第一板部及び第二板部を第一壁面及び第二壁面に沿わせることができる。
【発明の効果】
【００１７】
本発明によれば、断面略Ｌ字状の建築用板材において、製造コストの上昇を抑制しつつ角部の強度を確保できる。
【図面の簡単な説明】
【００１８】
【図１】第一実施形態の建築用板材が出隅壁に取り付けられた状態を示す斜視図である。
【図２】第一実施形態の建築用板材が出隅壁に取り付けられた状態を示す平面図である。
【図３】図３（ａ）は、図２に示すＩＩＩａ−ＩＩＩａ線における断面図、図３（ｂ）は、図２に示すＩＩＩｂ−ＩＩＩｂ線における断面図である。
【図４】第一実施形態の建築用板材を示す平面図である。
【図５】第一実施形態の建築用板材を示す分解斜視図である。
【図６】図６（ａ）は、第一板部を示す正面図、図６（ｂ）は、図６（ａ）に示すＶＩｂ−ＶＩｂ線における断面図である。
【図７】図７（ａ）は、図６（ａ）に示すＶＩＩａ−ＶＩＩａ線における断面図、図７（ｂ）は、図６（ａ）に示すＶＩＩｂ−ＶＩＩｂ線における断面図である。
【図８】図８（ａ）は、第二板部を示す正面図、図８（ｂ）は、図８（ａ）に示すＶＩＩＩｂ−ＶＩＩＩｂ線における断面図である。
【図９】図９（ａ）は、図８（ａ）に示すＩＸａ−ＩＸａ線における断面図、図９（ｂ）は、図８（ａ）に示すＩＸｂ−ＩＸｂ線における断面図である。
【図１０】図１０（ａ）は、第三板部を示す平面図、図１０（ｂ）は、第三板部を示す正面図である。
【図１１】図１１（ａ）は、図１０（ｂ）に示すＸＩａ−ＸＩａ線における断面図、図１１（ｂ）は、図１０（ｂ）に示すＸＩｂ−ＸＩｂ線における断面図である。
【図１２】第一実施形態の建築用板材の施工方法を説明するための斜視図である。
【図１３】第一実施形態の建築用板材の施工方法を説明するための斜視図である。
【図１４】第一実施形態の建築用板材の施工方法を説明するための斜視図である。
【図１５】第二実施形態の建築用板材が出隅壁に取り付けられた状態を示す斜視図である。
【図１６】第二実施形態の建築用板材を示す平面図である。
【図１７】第二実施形態の建築用板材を示す分解斜視図である。
【図１８】図１８（ａ）は、第一板部を示す正面図、図１８（ｂ）は、図１８（ａ）に示すＸＶＩＩＩｂ−ＸＶＩＩＩｂ線における断面図である。
【図１９】図１９（ａ）は、第二板部を示す正面図、図１９（ｂ）は、図１９（ａ）に示すＸＩＸｂ−ＸＩＸｂ線における断面図である。
【図２０】図２０（ａ）は、図１９（ａ）に示すＸＸａ−ＸＸａ線における断面図、図２０（ｂ）は、図１９（ａ）に示すＸＸｂ−ＸＸｂ線における断面図である。
【図２１】図２１（ａ）は、第四板部を示す平面図、図２１（ｂ）は、第四板部を示す正面図である。
【図２２】図２２（ａ）は、第三板部を示す平面図、図２２（ｂ）は、第三板部を示す正面図である。
【図２３】第二実施形態の建築用板材の施工方法を説明するための斜視図である。
【図２４】第二実施形態の建築用板材の施工方法を説明するための斜視図である。
【図２５】第二実施形態の建築用板材の施工方法を説明するための斜視図である。
【図２６】変形例の建築用板材が出隅壁に取り付けられた状態を示す斜視図である。
【発明を実施するための形態】
【００１９】
以下、図面を参照して、実施形態の建築用板材について詳細に説明する。本実施形態は、本発明の建築用板材を、コーブ照明の建築用板材に適用したものである。但し、本発明の建築用板材は、コーブ照明の建築用板材に限定されるものではない。なお、全図中、同一または相当部分には同一符号を付し、重複する説明を省略する。
【００２０】
［第一実施形態］
図１〜図３に示すように、本実施形態の建築用板材１は、コーブ照明に用いられる建築用板材である。コーブ照明は、天井面を照らす間接照明である。建築用板材１は、出隅壁１０１に取り付けられる。出隅壁１０１は、第一壁面１０１ａと第二壁面１０１ｂとにより形成される出隅の壁である。第一壁面１０１ａと第二壁面１０１ｂとは、隣接される壁面である。第一壁面１０１ａと第二壁面１０１ｂとのなす角度は、特に限定されるものではないが、本実施形態では、９０°であるものとして説明する。なお、以下の説明において、上下等の方向は、建築用板材１が出隅壁１０１に取り付けられた状態における方向をいう。
【００２１】
図１〜図５に示すように、建築用板材１は、第一方向Ｄ１に延びるとともに、第一方向Ｄ１と交差する第二方向Ｄ２に延びる略Ｌ字状に形成されている。本実施形態では、第一方向Ｄ１と第二方向Ｄ２とのなす角度は９０°であり、第一方向Ｄ１と第二方向Ｄ２とは直交する。建築用板材１は、出隅壁１０１に取り付けられる横板部２と、横板部２の出隅壁１０１とは反対側の端部に設けられた前板部３と、を備える。このため、建築用板材１は、横板部２と前板部３とにより断面略Ｌ字状に形成されている。横板部２の上面には、コーブ照明としての照明器具１０２が設置される。出隅壁１０１に対する横板部２の取り付けは、特に限定されるものではないが、本実施形態では、出隅壁１０１に受桟１０３を設け、この受桟１０３に横板部２を挿入及び接着することにより行うものとして説明する。出隅壁１０１に対する受桟１０３の取り付けは、特に限定されるものではないが、例えば、ビス止めにより行うことができる。なお、第一壁面１０１ａに設けられる受桟１０３を第一受桟１０３ａといい、第二壁面１０１ｂに設けられる受桟１０３を第二受桟１０３ｂという。
【００２２】
横板部２は、芯材４の表裏面に一対の面材５，６を貼り付けた構造をなす。このような構造としては、例えば、複数の角柱部材を組み合わせてなる芯材の表裏面に一対の面材を貼り付けたフラッシュ構造、板状部材からなる芯材の表裏面に一対の面材を貼り付けた構造等が挙げられる。フラッシュ構造は、一般的に、芯材を構成する複数の角柱部材間に空隙部を有する構造をいうが、芯材を構成する複数の角柱部材間に空隙部を有さない構造であってもよい。なお、強度確保及び軽量化の観点からは、芯材を構成する複数の角柱部材間に空隙部を有することが好ましい。このため、本実施形態では、横板部２は、複数の角柱部材を組み合わせてなる芯材４の表裏面に一対の面材５，６を貼り付けたフラッシュ構造をなすとともに、芯材４を構成する複数の角柱部材間に空隙部を有する構造であるものとして説明する。芯材４は、横板部２の軽量化を図りつつ強度を確保するために、複数の角柱部材が格子状に配置されてなる。芯材４を構成する各部材としては、例えば、木材等が用いられる。面材５は、芯材４の下面に貼り付けられる化粧板である。面材６は、芯材４の上面に貼り付けられる化粧板である。一対の面材５１，６１としては、例えば、表面に木製シート、紙系シート又は樹脂シート等のシートが貼り付けられた薄板等が用いられる。
【００２３】
建築用板材１は、第一方向Ｄ１に延び、横板部２及び前板部３の一部をなして第一壁面１０１ａに取り付けられる第一板部１１と、第一板部１１に連結されて第二方向Ｄ２に延び、横板部２及び前板部３の一部をなして第二壁面１０１ｂに取り付けられる第二板部１２と、第一方向Ｄ１に延び、前板部３の一部をなす第三板部１３と、を備える。第一板部１１と第二板部１２とは、互いの端部が連結されることにより、略Ｌ字状に形成される。ここで、第一板部１１の第一方向Ｄ１における両端部のうち、第二板部１２と連結される側の端部を、第一端部１１Ａという（図６（ａ）参照）。また、第二板部１２の第二方向Ｄ２における両端部のうち、第一板部１１と連結される側の端部を、第二端部１２Ａという（図８（ａ）参照）。
【００２４】
第一板部１１は、横板部２の一部である第一横板部２１と、前板部３の一部である第一前板部３１と、をなす。第二板部１２は、横板部２の一部である第二横板部２２と、前板部３の一部である第二前板部３２と、をなす。第三板部１３は、前板部３の一部である第三前板部３３をなす。横板部２は、第一横板部２１と、第二横板部２２と、により構成され、前板部３は、第一前板部３１と、第二前板部３２と、第三前板部３３と、により構成される。なお、第一横板部２１の芯材４及び一対の面材５，６は、それぞれ芯材４１及び一対の面材５１，６１という。第二横板部２２の芯材４及び一対の面材５，６は、それぞれ芯材４２及び一対の面材５２，６２という。
【００２５】
＜第一板部＞
図４〜図７に示すように、第一板部１１は、芯材４１の表裏面に一対の面材５１，６１を貼り付けたフラッシュ構造の第一横板部２１と、第一前板部３１と、を有する。
【００２６】
芯材４１は、第一方向Ｄ１に延びる複数の角柱部材と、第二方向Ｄ２（第一方向Ｄ１と直交する方向）に延びる複数の角柱部材とが、格子状に接合されてなる。
【００２７】
一対の面材５１，６１は、第一方向Ｄ１に長い矩形状に形成されている。一対の面材５１，６１は、芯材４１の上下面に貼り付けられている。そして、一対の面材５１，６１が芯材４１から第一壁面１０１ａ側（図７（ａ）における左側）に突出することで、一対の面材５１，６１の間に、第一受桟１０３ａ（図３（ａ）参照）が挿入される第一受桟用凹部２１Ａが形成されている。つまり、第一横板部２１は、第一壁面１０１ａ側の端部において、一対の面材５１，６１の間に第一受桟１０３ａが挿入される第一受桟用凹部２１Ａを有する。第一受桟用凹部２１Ａは、第一壁面１０１ａ側に開口した凹部である。
【００２８】
第一前板部３１は、第一横板部２１から上方に延びるように、第一横板部２１の第一壁面１０１ａとは反対側（図７（ａ）における右側）の端部に設けられている。第一前板部３１は、面材５１により形成されている。詳しく説明すると、第一前板部３１は、第一横板部２１の面材５１を、第二方向Ｄ２（第一方向Ｄ１と直交する方向）に幅広にするとともに、Ｖカットして折り曲げることにより形成されている。Ｖカットは、面材５１の芯材４１とは反対側の面を残しながら面材５１の芯材４１側の面をＶ字状にカットすることにより行われる。そして、折り曲げられた面材５１の先端部は、芯材４１の上面に形成された溝４１Ａに挿入されて、芯材４１に接合されている。溝４１Ａは、第一方向Ｄ１に延びる溝であり、芯材４１の第一方向Ｄ１における全域に形成されている。第一前板部３１では、折り曲げられた面材５１が重ね合わされていてもよく、重ね合わされておらず内部に空間が形成されていてもよい。後者の場合、面材５１の内部空間に他部材を挿入して、第一前板部３１の強度を高めてもよい。面材６１は、第一前板部３１を形成する面材５１に当接されていることが好ましいが、当該面材５１に当接されていなくてもよい。
【００２９】
なお、第一前板部３１は、面材５１により形成されずに、第一横板部２１とは別部材により形成されていてもよい。この場合、第一前板部３１の構造は、特に限定されるものではなく、例えば、第一横板部２１と同様のフラッシュ構造であってもよく、一枚の板で構成される単板構造であってもよい。
【００３０】
第一板部１１は、芯材４１が一対の面材５１，６１及び第一前板部３１から突出してなる凸部２１Ｂを有する。凸部２１Ｂは、芯材４１の一部である。詳しく説明すると、一対の面材５１，６１の第一端部１１Ａ側の端面５１Ａ，６１Ａは、第一方向Ｄ１と直交する面（第二方向Ｄ２と平行な面）であり、第一前板部３１の第一端部１１Ａ側の端面３１Ａは、第一方向Ｄ１と直交する面（第二方向Ｄ２と平行な面）である。一対の面材５１，６１の端面５１Ａ，６１Ａと第一前板部３１の端面３１Ａとは、面一となっている。芯材４１は、一対の面材５１，６１の端面５１Ａ，６１Ａ及び第一前板部３１の端面３１Ａから、第一端部１１Ａ側に突出している。そして、一対の面材５１，６１及び第一前板部３１から突出している芯材４１の部分が、凸部２１Ｂとなる。なお、凸部２１Ｂ（芯材４１）の第一端部１１Ａ側の端面は、第一方向Ｄ１と直交する面であることが好ましいが、必ずしも第一方向Ｄ１と直交する面でなくてもよい。
【００３１】
第一板部１１の芯材４１は、第一端部１１Ａまで延びている。詳しく説明すると、芯材４１を構成する複数の角柱部材のうち、少なくとも第一壁面１０１ａとは反対側の端部に位置して第一方向Ｄ１に延びる角柱部材４１Ｂが、第一端部１１Ａまで延びている。
【００３２】
＜第二板部＞
図４，図５，図８及び図９に示すように、第二板部１２は、第一板部１１に連結される部材である。第二板部１２は、芯材４２の表裏面に一対の面材５２，６２を貼り付けたフラッシュ構造の第二横板部２２と、第二前板部３２と、を有する。
【００３３】
芯材４２は、第二方向Ｄ２に延びる複数の角柱部材と、第一方向Ｄ１（第二方向Ｄ２と直交する方向）に延びる複数の角柱部材とが、格子状に接合されてなる。
【００３４】
一対の面材５２，６２は、第二方向Ｄ２に長い矩形状に形成されている。一対の面材５２，６２は、芯材４２の上下面に貼り付けられている。そして、一対の面材５２，６２が芯材４２から第二壁面１０１ｂ側（図９（ａ）における右側）に突出することで、一対の面材５２，６２の間に、第二受桟１０３ｂ（図３（ｂ）参照）が挿入される第二受桟用凹部２２Ａが形成されている。つまり、第二横板部２２は、第二壁面１０１ｂ側の端部において、一対の面材５２，６２の間に第二受桟１０３ｂが挿入される第二受桟用凹部２２Ａを有する。第二受桟用凹部２２Ａは、第二壁面１０１ｂ側に開口した凹部である。
【００３５】
第二前板部３２は、第二横板部２２から上方に延びるように、第二横板部２２の第二壁面１０１ｂとは反対側（図９（ａ）における左側）の端部に設けられている。第二前板部３２は、面材５２により形成されている。詳しく説明すると、第二前板部３２は、第二横板部２２の面材５２を、第一方向Ｄ１（第二方向Ｄ２と直交する方向）に幅広にするとともに、Ｖカットして折り曲げることにより形成されている。Ｖカットは、面材５２の芯材４２とは反対側の面を残しながら面材５２の芯材４２側の面をＶ字状にカットすることにより行われる。そして、折り曲げられた面材５２の先端部は、芯材４２の上面に形成された溝４２Ａに挿入されて、芯材４２に接合されている。溝４２Ａは、第二方向Ｄ２に延びる溝であり、芯材４２の第二方向Ｄ２における全域に形成されている。第二前板部３２では、折り曲げられた面材５２が重ね合わされていてもよく、重ね合わされておらず内部に空間が形成されていてもよい。後者の場合、面材５２の内部空間に他部材を挿入して、第二前板部３２の強度を高めてもよい。面材６２は、第二前板部３２を形成する面材５２に当接されていることが好ましいが、当該面材５２に当接されていなくてもよい。
【００３６】
なお、第二前板部３２は、面材５２により形成されずに、第二横板部２２とは別部材により形成されていてもよい。この場合、第二前板部３２の構造は、特に限定されるものではなく、例えば、第二横板部２２と同様のフラッシュ構造であってもよく、一枚の板で構成される単板構造であってもよい。
【００３７】
第二板部１２は、一対の面材５２，６２の間に第一板部１１の凸部２１Ｂが挿入される凹部２２Ｂを有する。凹部２２Ｂは、第二横板部２２の第二端部１２Ａ側の部分において、第一板部１１側（第二壁面１０１ｂ側）に開口した凹部である。このため、凸部２１Ｂは、第二壁面１０１ｂ側から凹部２２Ｂに挿入することができる。凹部２２Ｂは、一対の面材５２，６２の間に芯材４２を配置しないことにより形成される。詳しく説明すると、一対の面材５２，６２の第二端部１２Ａ側の側面５２Ｂ，６２Ｂは、第二方向Ｄ２と直交する面（第一方向Ｄ１と平行な面）である。芯材４２は、第二板部１２の第二端部１２Ａ側の部分において、一対の面材５２，６２の側面５２Ｂ，６２Ｂから第一板部１１（第二壁面１０１ｂ）とは反対側に引っ込んでいる。そして、一対の面材５２，６２の側面５２Ｂ，６２Ｂから芯材４２が引っ込むことにより形成される一対の面材５２，６２の間の空間が、凹部２２Ｂとなる。
【００３８】
第二板部１２の芯材４２は、第二端部１２Ａまで延びている。詳しく説明すると、芯材４２を構成する複数の角柱部材のうち、少なくとも第二壁面１０１ｂとは反対側の端部に位置して第二方向Ｄ２に延びる角柱部材４２Ｂが、第二端部１２Ａまで延びている。
【００３９】
そして、凹部２２Ｂに凸部２１Ｂを挿入した際に、第一板部１１における一対の面材５１，６１の端面５１Ａ，６１Ａが、第二板部１２における一対の面材５２，６２の側面５２Ｂ，６２Ｂに当接するように、凹部２２Ｂは、凸部２１Ｂと略同じ形状、又は凸部２１Ｂよりも大きい形状に形成されている。なお、凹部２２Ｂに凸部２１Ｂを挿入した際に、第一板部１１の角柱部材４１Ｂ（芯材４１）と第二板部１２の角柱部材４２Ｂ（芯材４２）とは、当接していても離間していてもよいが、強度を確保する観点から当接していることが好ましい。つまり、凹部２２Ｂに凸部２１Ｂを挿入した際に、角柱部材４１Ｂと角柱部材４２Ｂとが当接するように、凸部２１Ｂと凹部２２Ｂとが略同じ形状であることが好ましい。
【００４０】
＜第三板部＞
図４，図５，図１０及び図１１に示すように、第三板部１３は、凸部２１Ｂが凹部２２Ｂに挿入された状態（第一板部１１と第二板部１２とが連結された状態）で、第一板部１１の第一前板部３１の端面３１Ａと、第二板部１２の第二前板部３２の端面３２Ａとに当接される。第三板部１３は、第三前板部３３を有する。
【００４１】
第三前板部３３は、第一前板部３１及び第二前板部３２と略同じ形状をなしている。詳しく説明すると、第三前板部３３は、第一前板部３１の面材５１及び第二前板部３２の面材５２と同様の面材により形成されている。そして、第三前板部３３は、この面材をＶカットして折り曲げることにより、第一前板部３１及び第二前板部３２と略同じ断面形状をなしている。但し、第三前板部３３は、形状保持及び強度確保の観点から、第一前板部３１及び第二前板部３２において溝４１Ａ及び溝４２Ａに挿入される先端部に対応する部分を、溝に挿入することなく更にＶカットして折り曲げることで、Ｐ字状の閉断面となっている。
【００４２】
このため、第三前板部３３の下部は、一枚の面材で構成された薄肉部３３Ａとなっており、第三前板部３３の上部は、折り曲げられた面材により閉断面が形成された厚肉部３３Ｂとなっている。薄肉部３３Ａは、第一板部１１の第一前板部３１の端面３１Ａと、第一板部１１の凸部２１Ｂの側面と、第二板部１２の第二横板部２２の一対の面材５２，６２の側面５２Ｂ，６２Ｂと、に当接される部位である。厚肉部３３Ｂは、第一板部１１の第一前板部３１の端面３１Ａと、第二板部１２の第二前板部３２の側面と、第二板部１２の第二横板部２２の面材６２の上面と、に当接される部位である。厚肉部３３Ｂの第二板部１２側の端部は、第二板部１２の第二前板部３２を避けるように、薄肉部３３Ａと同様に一枚の面材で構成された薄肉端部３３Ｃとなっている。薄肉端部３３Ｃは、第二板部１２の第二前板部３２の端面３２Ａに当接される部位である。
【００４３】
＜建築用板材＞
第一実施形態の建築用板材１は、上述した第一板部１１、第二板部１２及び第三板部１３を組み立てることにより構成される。詳しく説明すると、建築用板材１では、第一板部１１の凸部２１Ｂが第二板部１２の凹部２２Ｂに挿入されて、第一板部１１の一対の面材５１，６１の端面５１Ａ，６１Ａが、第二板部１２の一対の面材５２，６２の側面５２Ｂ，６２Ｂに当接されている。また、建築用板材１では、第三板部１３の薄肉部３３Ａ及び厚肉部３３Ｂが、第一板部１１の第一前板部３１の端面３１Ａに当接されている。また、第三板部１３の薄肉部３３Ａが、第一板部１１の凸部２１Ｂの側面と、第二板部１２の一対の面材５２，６２の端面５２Ａ，６２Ａと、第二板部１２の芯材４２（角柱部材４２Ｂ）の端面と、に当接されている。また、第三板部１３の厚肉部３３Ｂが、第二板部１２の第二横板部２２の上面と、第二板部１２の第二前板部３２の側面と、に当接されている。また、第三板部１３の薄肉端部３３Ｃが、第二板部１２の第二前板部３２の端面３２Ａに当接されている。
【００４４】
＜建築用板材の施工方法＞
次に、第一実施形態の建築用板材１の施工方法について説明する。
【００４５】
まず、図１２に示すように、出隅壁１０１に受桟１０３を取り付ける。詳しく説明すると、第一壁面１０１ａに第一受桟１０３ａを取り付け、第二壁面１０１ｂに第二受桟１０３ｂを取り付ける。このとき、第一受桟１０３ａ及び第二受桟１０３ｂを、同一水平線上に配置して、ビス止め等により第一壁面１０１ａ及び第二壁面１０１ｂに取り付ける。
【００４６】
次に、図１３に示すように、第一板部１１と第二板部１２とを連結するとともに、第一板部１１及び第二板部１２を第一受桟１０３ａ及び第二受桟１０３ｂに取り付ける。詳しく説明すると、第一板部１１の凸部２１Ｂを第二板部１２の凹部２２Ｂに挿入して、第一板部１１の一対の面材５１，６１の端面５１Ａ，６１Ａを第二板部１２の一対の面材５２，６２の側面５２Ｂ，６２Ｂに当接する。そして、接着剤等により、第一板部１１と第二板部１２とを接合する。また、第一板部１１の第一受桟用凹部２１Ａに第一受桟１０３ａを挿入するとともに、第二板部１２の第二受桟用凹部２２Ａに第二受桟１０３ｂを挿入する。そして、接着剤等により、第一板部１１及び第二板部１２と第一受桟１０３ａ及び第二受桟１０３ｂとを接合する。
【００４７】
次に、図１４に示すように、第一板部１１及び第二板部１２に第三板部１３を取り付ける。詳しく説明すると、第三板部１３を第一板部１１の第一前板部３１と第二板部１２の第二前板部３２との間に配置する。そして、第三板部１３の薄肉部３３Ａ及び厚肉部３３Ｂを、第一板部１１の第一前板部３１の端面３１Ａに当接し、第三板部１３の薄肉部３３Ａを、第一板部１１の凸部２１Ｂの側面と、第二板部１２の一対の面材５２，６２の端面５２Ａ，６２Ａと、第二板部１２の芯材４２（角柱部材４２Ｂ）の端面とに当接し、第三板部１３の厚肉部３３Ｂを、第二板部１２の第二横板部２２の上面と、第二板部１２の第二前板部３２の側面と、に当接し、第三板部１３の薄肉端部３３Ｃを、第二板部１２の第二前板部３２の端面３２Ａに当接する。そして、接着剤等により、第三板部１３を第一板部１１及び第二板部１２に接合する。これにより、建築用板材１が出隅壁１０に取り付けられる。
【００４８】
なお、第一受桟用凹部２１Ａ及び第二受桟用凹部２２Ａに第一受桟１０３ａ及び第二受桟１０３ｂを挿入するのは、上述したように建築用板材１を組み立てている途中であってもよく、建築用板材１が全て組み立てられた後であってもよい。
【００４９】
このように、本実施形態に係る建築用板材１では、第一板部１１の凸部２１Ｂを第二板部１２の凹部２２Ｂに挿入して、第一板部１１と第二板部１２とを連結することで、第一方向Ｄ１及び第二方向Ｄ２に延びる略Ｌ字状の横板部２を形成することができる。また、凸部２１Ｂが凹部２２Ｂに挿入された状態で、第三板部１３を第一板部１１の第一前板部３１の端面３１Ａと第二板部１２の第二前板部３２の端面３２Ａとに当接することで、第一方向Ｄ１及び第二方向Ｄ２に延びる略Ｌ字状の前板部３を形成することができる。これにより、断面略Ｌ字状に形成される横板部２及び前板部３を斜めにカットしなくても、略Ｌ字状の建築用板材１を組み立てることができるため、製造コストの上昇を抑制することができる。しかも、第一板部１１と第二板部１２との連結は、第一板部１１の凸部２１Ｂを第二板部１２の凹部２２Ｂに挿入することにより行うことができるため、略Ｌ字状の建築用板材１の角部に、第一板部１１の芯材４１又は第二板部１２の芯材４２を配置することができる。これにより、建築用板材１の角部の強度を確保することができる。
【００５０】
また、第一板部１１及び第二板部１２の第一受桟用凹部２１Ａ及び第二受桟用凹部２２Ａに第一受桟１０３ａ及び第二受桟１０３ｂを挿入することで、容易に第一板部１１及び第二板部１２を第一壁面１０１ａ及び第二壁面１０１ｂに取り付けることができる。
【００５１】
また、第一板部１１及び第二板部１２の芯材４１及び芯材４２が、第一端部１１Ａ及び第二端部１２Ａまで延びているため、建築用板材１の角部に芯材４１及び芯材４２が配置される。これにより、建築用板材１の角部の強度を確保することができる。
【００５２】
また、第一板部１１の芯材４１と第二板部１２の芯材４２とが当接されているため、建築用板材１の角部の強度を確保することができる。
【００５３】
また、第一前板部３１及び第二前板部３２が面材５１及び面材５２により形成されているため、部品点数を削減して製造コストを低減することができる。
【００５４】
また、第一板部１１の一対の面材５１，６１と第二板部１２の一対の面材５２，６２とが当接されているため、建築用板材１の角部の強度を確保することができる。
【００５５】
［第二実施形態］
次に、第二実施形態に係る建築用板材について説明する。第二実施形態に係る建築用板材は、基本的には第一実施形態に係る建築用板材と同様であるが、一対の第四板部を更に備える点で、第一実施形態に係る建築用板材と相違する。このため、以下では、第一実施形態に係る建築用板材と相違する事項のみを説明し、第一実施形態に係る建築用板材と同様の事項の説明を省略する。
【００５６】
図１５〜図１７に示すように、本実施形態に係る建築用板材１Ａは、第一板部１１、第二板部１２及び第三板部１３に加え、一対の第四板部１４，１５を備える。
【００５７】
＜第一板部＞
図１５〜図１８に示すように、第二実施形態の第一板部１１は、第一実施形態の第一板部１１と比べて、第一方向Ｄ１における長さが短くなっている。そして、一対の面材５１，６１及び第一前板部３１に対する凸部２１Ｂ（芯材４１）の突出長さが、第一実施形態よりも短くなっている。
【００５８】
＜第二板部＞
図１５〜図１７，図１９及び図２０に示すように、第二実施形態の第二板部１２は、第一実施形態の第二板部１２と比べて、第一方向Ｄ１（第二方向Ｄ２と直交する方向）における凹部２２Ｂの深さが浅くなっている。詳しく説明すると、芯材４２の全体が第二端部１２Ａまで延びており、第一方向Ｄ１において、凸部２１Ｂが挿入される凹部２２Ｂと第二受桟１０３ｂが挿入される第二受桟用凹部２２Ａとが同じ深さとなっている。
【００５９】
＜第四板部＞
図１５〜図１７及び図２１に示すように、一対の第四板部１４，１５は、第一板部１１の凸部２１Ｂの表裏面に取り付けられることで、横板部２の一部をなす部材である。このため、第二実施形態では、横板部２は、第一横板部２１と、第二横板部２２と、一対の第四板部１４，１５と、により構成される。一対の第四板部１４，１５は、凸部２１Ｂが凹部２２Ｂに挿入された状態（第一板部１１と第二板部１２とが連結された状態）で、第一板部１１の一対の面材５１，６１の端面５１Ａ，６１Ａと、第二板部１２の一対の面材５２，６２の側面５２Ｂ，６２Ｂと、に当接される。
【００６０】
一対の第四板部１４，１５は、それぞれ一対の面材５１，６１と同様の面材により、矩形板状に形成されている。第四板部１４は、凸部２１Ｂの下面に取り付けられることで、第一板部１１の面材５１と第二板部１２の面材５２との間に配置される。同様に、第四板部１５は、凸部２１Ｂの上面に取り付けられることで、第一板部１１の面材６１と第二板部１２の面材６２との間に配置される。そして、第四板部１４，１５の第一方向Ｄ１における第一板部１１側の端面１４Ａ，１５Ａは、第一板部１１の一対の面材５１，６１の端面５１Ａ，６１Ａに当接され、第四板部１４，１５の第一方向Ｄ１における第二板部１２側の端面１４Ｂ，１５Ｂは、第二板部１２の一対の面材５２，６２の第一板部１１側の側面５２Ｂ，６２Ｂに当接される。
【００６１】
ところで、一対の第四板部１４，１５は、第一板部１１の一対の面材５１，６１と第二板部１２の一対の面材５２，６２との間に配置される。このため、端面１４Ａ，１５Ａと端面１４Ｂ，１５Ｂとのなす角度を調整することで、第一板部１１の延在方向である第一方向Ｄ１と第二板部１２の延在方向である第二方向Ｄ２とのなす角度を調整することができる。詳しく説明すると、一対の第四板部１４，１５では、端面１４Ａ，１５Ａと端面１４Ｂ，１５Ｂとが平行となっている。このため、一対の第四板部１４，１５を、そのままの状態で第一板部１１の一対の面材５１，６１と第二板部１２の一対の面材５２，６２とに当接すると、第一板部１１と第二板部１２とは９０°に屈曲したＬ字状となる。一方、一対の面材５１，６１を切断して端面１４Ａ，１５Ａと端面１４Ｂ，１５Ｂとを傾斜させ、この状態で第一板部１１の一対の面材５１，６１と第二板部１２の一対の面材５２，６２とに当接すると、第一板部１１と第二板部１２とは９０°よりも大きな角度又は９０°よりも小さな角度で屈曲した略Ｌ字状となる。例えば、一対の第四板部１４，１５を図２１に示すＣ１線に沿って切断することにより、一対の第四板部１４，１５を第一壁面１０１ａ側に向かって広がる台形状とすることで、第一板部１１と第二板部１２とは、９０°よりも大きな角度で屈曲する略Ｌ字状となる。一方、一対の第四板部１４，１５を図２１に示すＣ２線に沿って切断することにより、一対の第四板部１４，１５を第一壁面１０１ａ側に向かって狭まる台形状とすることで、第一板部１１と第二板部１２とは、９０°よりも小さな角度で屈曲する略Ｌ字状となる。
【００６２】
＜第三板部＞
図１５〜図１７及び図２２に示すように、第二実施形態の第三板部１３は、第一実施形態の第三板部１３と比べて第一方向Ｄ１における長さが長くなっている。詳しく説明すると、第三板部１３は、第一板部１１の一対の面材５１，６１と第二板部１２の一対の面材５２，６２との間に一対の第四板部１４，１５が配置された状態で、第一板部１１の第一前板部３１から第二板部１２の第二前板部３２まで至る長さとなっている。
【００６３】
なお、一対の面材５１，６１を切断して端面１４Ａ，１５Ａと端面１４Ｂ，１５Ｂとを傾斜させた場合は、第三板部１３をＶカットして屈曲させることで、第三板部１３を第一板部１１、第二板部１２及び一対の第四板部１４，１５に当接させることができる。
【００６４】
＜建築用板材＞
第二実施形態の建築用板材１Ａは、上述した第一板部１１、第二板部１２、第三板部１３及び一対の第四板部１４，１５を組み立てることにより構成される。詳しく説明すると、建築用板材１Ａでは、凸部２１Ｂの下面及び上面に一対の第四板部１４，１５が取り付けられた状態で、第一板部１１の凸部２１Ｂが第二板部１２の凹部２２Ｂに挿入されている。そして、第四板部１４，１５の端面１４Ａ，１５Ａが、第一板部１１の一対の面材５１，６１の端面５１Ａ，６１Ａに当接されており、第四板部１４，１５の端面１４Ｂ，１５Ｂが、第二板部１２の一対の面材５２，６２の側面５２Ｂ，６２Ｂに当接されている。また、建築用板材１Ａでは、第三板部１３の薄肉部３３Ａ及び厚肉部３３Ｂが、第一板部１１の第一前板部３１の端面３１Ａに当接されている。また、第三板部１３の薄肉部３３Ａが、第一板部１１の凸部２１Ｂの側面と、一対の第四板部１４，１５の側面と、第二板部１２の一対の面材５２，６２の端面５２Ａ，６２Ａと、第二板部１２の芯材４２の端面と、に当接されている。また、第三板部１３の厚肉部３３Ｂが、第四板部１４の上面と、第二板部１２の第二横板部２２の上面と、第二板部１２の第二前板部３２の側面と、に当接されている。また、第三板部１３の薄肉端部３３Ｃが、第二板部１２の第二前板部３２の端面３２Ａに当接されている。
【００６５】
＜建築用板材の施工方法＞
次に、第二実施形態の建築用板材１Ａの施工方法について説明する。
【００６６】
まず、図２３に示すように、出隅壁１０１に受桟１０３を取り付ける。詳しく説明すると、第一壁面１０１ａに第一受桟１０３ａを取り付け、第二壁面１０１ｂに第二受桟１０３ｂを取り付ける。このとき、第一受桟１０３ａ及び第二受桟１０３ｂを、同一水平線上に配置して、ビス止め等により第一壁面１０１ａ及び第二壁面１０１ｂに取り付ける。
【００６７】
次に、図２４に示すように、凸部２１Ｂの下面及び上面に一対の第四板部１４，１５を取り付けて第一板部１１と第二板部１２とを連結するとともに、第一板部１１及び第二板部１２を第一受桟１０３ａ及び第二受桟１０３ｂに取り付ける。詳しく説明すると、一対の第四板部１４，１５の端面１４Ａ，１５Ａが第一板部１１の一対の面材５１，６１の端面５１Ａ，６１Ａに当接するように、凸部２１Ｂの下面及び上面に一対の第四板部１４，１５を取り付ける。そして、接着剤等により、凸部２１Ｂの下面及び上面に一対の第四板部１４，１５を接合する。次に、第一板部１１の凸部２１Ｂを第二板部１２の凹部２２Ｂに挿入して、一対の第四板部１４，１５の端面１４Ｂ，１５Ｂを第二板部１２の一対の面材５２，６２の側面５２Ｂ，６２Ｂに当接する。そして、接着剤等により、第一板部１１と第二板部１２とを接合する。また、第一板部１１の第一受桟用凹部２１Ａに第一受桟１０３ａを挿入するとともに、第二板部１２の第二受桟用凹部２２Ａに第二受桟１０３ｂを挿入する。そして、接着剤等により、第一板部１１及び第二板部１２と第一受桟１０３ａ及び第二受桟１０３ｂとを接合する。
【００６８】
次に、図２５に示すように、第一板部１１、第二板部１２及び一対の第四板部１４，１５に第三板部１３を取り付ける。詳しく説明すると、第三板部１３を第一板部１１の第一前板部３１と第二板部１２の第二前板部３２との間に配置する。そして、第三板部１３の薄肉部３３Ａ及び厚肉部３３Ｂを、第一板部１１の第一前板部３１の端面３１Ａに当接し、第三板部１３の薄肉部３３Ａを、第一板部１１の凸部２１Ｂの側面と、一対の第四板部１４，１５の側面と、第二板部１２の一対の面材５２，６２の端面５２Ａ，６２Ａと、第二板部１２の芯材４２の端面と、に当接し、第三板部１３の厚肉部３３Ｂを、第四板部１４の上面と、第二板部１２の第二横板部２２の上面と、第二板部１２の第二前板部３２の側面と、に当接し、第三板部１３の薄肉端部３３Ｃを、第二板部１２の第二前板部３２の端面３２Ａに当接する。そして、接着剤等により、第三板部１３を第一板部１１、第二板部１２及び一対の第四板部１４，１５に接合する。これにより、建築用板材１Ａが出隅壁１０に取り付けられる。
【００６９】
ここで、第一壁面１０１ａと第二壁面１０１ｂとのなす角度が９０°でない場合は、一対の面材５１，６１を切断して端面１４Ａ，１５Ａと端面１４Ｂ，１５Ｂとを傾斜させる。そして、第三板部１３をＶカットして屈曲させることで、第三板部１３を第一板部１１、第二板部１２及び一対の第四板部１４，１５に当接する。これにより、第一板部１１及び第二板部１２を第一壁面１０１ａ及び第二壁面１０１ｂに沿わせることができる。この場合、第一板部１１の凸部２１Ｂと第二板部１２の芯材４２との間に空隙が形成されるように、凸部２１Ｂの突出長さを設定しておくことが好ましい。これにより、第一板部１１と第二板部１２との傾斜を容易に行うことができる。但し、凸部２１Ｂを斜めに切断することにより、第一板部１１の凸部２１Ｂと第二板部１２の芯材４２とが当接していてもよい。
【００７０】
なお、第一受桟用凹部２１Ａ及び第二受桟用凹部２２Ａに第一受桟１０３ａ及び第二受桟１０３ｂを挿入するのは、上述したように建築用板材１Ａを組み立てている途中であってもよく、建築用板材１Ａが全て組み立てられた後であってもよい。
【００７１】
このように、本実施形態に係る建築用板材１では、第一板部１１の凸部２１Ｂの表裏面に取り付けられる一対の第四板部１４，１５が、凸部２１Ｂが凹部２２Ｂに挿入された状態で、第一板部１１の一対の面材５１，６１の端面５１Ａ，６１Ａと第二板部１２の一対の面材５２，６２の側面５２Ｂ，６２Ｂとに当接される。このため、一対の第四板部１４，１５を切断して、一対の第四板部１４，１５の端面１４Ａ，１５Ａと一対の第四板部１４，１５の端面１４Ｂ，１５Ｂとのなす角度を調整することで、第一板部１１の延在方向である第一方向Ｄ１と第二板部１２の延在方向である第二方向Ｄ２とのなす角度を変えることができる。これにより、第一壁面１０１ａと第二壁面１０１ｂとのなす角度が９０°でない場合であっても、第一板部１１及び第二板部１２を第一壁面１０１ａ及び第二壁面１０１ｂに沿わせることができる。
【００７２】
以上、本発明の好適な実施形態について説明したが、本発明は上記実施形態に限定されるものではなく、適宜変更することができる。
【００７３】
例えば、上記実施形態では、本発明の建築用板材を、コーブ照明の建築用板材に適用したものとして説明したが、図２６に示すように、カーテンボックスの建築用板材１Ｂに適用してもよい。この建築用板材１Ｂでは、前板部が横板部から下方に延びるように当該横板部に接続されており、横板部の下面に、カーテンレール１０４が取り付けられる。
【００７４】
また、上記実施形態では、第二板部と第三板部とが別部材であるものとして説明したが、第二板部と第三板部とは単一の部材であってもよい。この場合、例えば、第二板部において、横板部の下面側に配置される面材を、第二方向（第一方向と直交する方向）に幅広にするとともに、Ｖカットして折り曲げることにより形成することができる。
【００７５】
また、上記実施形態では、第三板部は、前板部の一部のみをなすものとして説明したが、第三板部は、前板部だけではなく横板部の一部もなすものとしてもよい。
【００７６】
また、上記実施形態では、第一板部の凸部と第二板部の芯材とが当接されるものとして説明したが、第一板部の凸部と第二板部の芯材とは離間していてもよい。
【００７７】
ところで、第三板部を構成する面材の小口面は、建築用板材の表面に露出するが、第三板部を構成する面材として、表面に木製シート、紙系シート又は樹脂シート等のシートが貼り付けられた薄板等を用いた場合、当該小口面がシートで覆われない。そこで、第三板部を構成する面材の端部をＶカットして折り曲げることにより、当該小口面がシートで覆われたものとしてもよい。この場合、Ｖカットして折り曲げるのは、第三板部を構成する面材の表面側又は裏面側の何れであってもよい。
【符号の説明】
【００７８】
１，１Ａ，１Ｂ…建築用板材、２…横板部、３…前板部、４…芯材、５，６…面材、１０…出隅壁、１１，１１Ａ…第一端部、１２，１２Ａ…第二端部、１３…第三板部、１４，１５…第四板部、１４Ａ，１５Ａ…端面、１４Ｂ，１５Ｂ…端面、２１…第一横板部、２１Ａ…第一受桟用凹部、２１Ｂ…凸部、２２…第二横板部、２２Ａ…第二受桟用凹部、２２Ｂ…凹部、３１…第一前板部、３１Ａ…端面、３２…第二前板部、３２Ａ…端面、３３…第三前板部、３３Ａ…薄肉部、３３Ｂ…厚肉部、３３Ｃ…薄肉端部、４１…芯材、４１Ａ…溝、４１Ｂ…角柱部材、４２…芯材、４２Ａ…溝、４２Ｂ…角柱部材、５１，６１…面材、５１Ａ，６１Ａ…端面、５２，６２…面材、５２Ａ，６２Ａ…端面、５２Ｂ，６２Ｂ…側面、１０１…出隅壁、１０１ａ…第一壁面、１０１ｂ…第二壁面、１０２…照明器具、１０３…受桟、１０３ａ…第一受桟、１０３ｂ…第二受桟、１０４…カーテンレール。
【図１】
2019151971.tif 000003
【図２】
2019151971.tif 000004
【図３】
2019151971.tif 000005
【図４】
2019151971.tif 000006
【図５】
2019151971.tif 000007
【図６】
2019151971.tif 000008
【図７】
2019151971.tif 000009
【図８】
2019151971.tif 000010
【図９】
2019151971.tif 000011
【図１０】
2019151971.tif 000012
【図１１】
2019151971.tif 000013
【図１２】
2019151971.tif 000014
【図１３】
2019151971.tif 000015
【図１４】
2019151971.tif 000016
【図１５】
2019151971.tif 000017
【図１６】
2019151971.tif 000018
【図１７】
2019151971.tif 000019
【図１８】
2019151971.tif 000020
【図１９】
2019151971.tif 000021
【図２０】
2019151971.tif 000022
【図２１】
2019151971.tif 000023
【図２２】
2019151971.tif 000024
【図２３】
2019151971.tif 000025
【図２４】
2019151971.tif 000026
【図２５】
2019151971.tif 000027
【図２６】
2019151971.tif 000028